(57)【要約】【課題】嵌合の力を効率的にレバー回転方向の力に変換することによって仮嵌合の力を小さくするレバー式コネクタを提供する。【解決手段】カムピン２１に係合するカム溝４６と突設された支持軸３２に回転可能に支持されたレバー４０とを有する雄側コネクタ３０と突設したカムピン２１を有する雌側コネクタ２０とを備え、雌側コネクタ２０を雄側コネクタ３０に対する仮嵌合位置にセットしてカムピン２１がカム溝４６に係合可能な状態とした上でカム作用により両コネクタを嵌合させるレバー式コネクタにおいて、レバー４０には、支持軸３２を挟んでカム溝４６とは反対側の領域に回転補助受部４４を形成すると共に、雌側コネクタ２０には雄側コネクタ３０を仮嵌合位置にセットするときに回転補助受部４４を押圧してレバーを嵌合完了方向に回動させる押圧突部２３を設けたところに特徴を有する。【選択図】図１
2011023127.tif 000002
【特許請求の範囲】
【請求項１】
互いに嵌合可能な第一及び第二のコネクタと、前記第一のコネクタに突設したカムピンと、前記カムピンに係合するカム溝を有し前記第二のコネクタに突設された支軸に回転可能に支持されたレバーとを備え、
前記第一のコネクタを前記第二のコネクタに対する仮嵌合位置にセットして前記カムピンが前記カム溝に係合可能な状態とした上で前記レバーを嵌合完了方向に回動させることにより前記第一のコネクタを前記第二のコネクタ側に引き込んで嵌合させるレバー式コネクタにおいて、
前記レバーに、前記支軸に関して前記カム溝とは反対側の領域に位置して被押圧部を形成すると共に、前記第一のコネクタには、前記第一のコネクタを前記仮嵌合位置にセットするときに前記被押圧部を押圧して前記レバーを前記嵌合完了方向に回動させる押圧部を設けたことを特徴とするレバー式コネクタ。
【請求項２】
前記レバーには、前記第二のコネクタに設けた係合部と係合して回動を規制することで前記レバーを前記カムピンが前記カム溝に進入可能な待機位置に保持する弾性係合片が形成され、前記第一のコネクタには前記仮嵌合位置にセットされたときに前記弾性係合片を押圧して前記係合部との係合状態を解除する係合解除部が設けられていることを特徴とする請求項１記載のレバー式コネクタ。
【請求項３】
前記押圧部は前記レバーの外周縁部から前記支軸から離れる方向に突出して設けられていることを特徴とする請求項１又は請求項２記載のレバー式コネクタ。
【発明の詳細な説明】
【技術分野】
【０００１】
本発明は、レバー式コネクタに関する。
【背景技術】
【０００２】
レバー式コネクタは、一方のコネクタにカム溝を有するレバーを装着すると共に他方のコネクタにカムピンを形成してあり、両コネクタをカムピンがカム溝に進入する仮嵌合位置にセットした後、レバーを回動操作することによって、カム作用により両コネクタをさらに接近させて正規嵌合状態にできるようになっている。
【０００３】
両コネクタの嵌合操作を行う場合、コネクタが仮嵌合位置にセットされたところで、レバーが正規嵌合方向に小角度回動するようにしておくと、仮嵌合位置に至ったことを明瞭に認識できるから、作業上好ましい。このための構成として、従来、特許文献１に記載された発明が知られている。
【０００４】
この発明では、レバーに形成されているカム溝の入口奥の形状に工夫がある。カム溝のうち、相手コネクタが仮嵌合位置に至るときにカムピンが当接する部分に斜面を形成しておき、その斜面がカムピンに押圧されてレバーを正規嵌合方向に回動させるような分力を生じさせるのである。
【先行技術文献】
【特許文献】
【０００５】
【特許文献１】特開平２００３−１９７３０９号公報
【発明の概要】
【発明が解決しようとする課題】
【０００６】
しかしながら、上記従来のコネクタではカムピンがカム溝の入口奥の斜面を押圧する構造であるため、少なからずカムピンは入口奥の斜面から抵抗を受け、両コネクタを仮嵌合位置にセットする作業自体を円滑に行うことができなかった。
【０００７】
本発明は上記のような事情に基づいて完成されたものであって、両コネクタを仮嵌合位置にセットするときの力をより効率的にレバー回転方向の力に変換することにより嵌合操作をより円滑に行うことができるレバー式コネクタを提供することを目的とする。
【課題を解決するための手段】
【０００８】
上記の目的を達成するための手段として本発明は、互いに嵌合可能な第一及び第二のコネクタと、前記第一のコネクタに突設したカムピンと、前記カムピンに係合するカム溝を有し前記第二のコネクタに突設された支軸に回転可能に支持されたレバーとを備え、前記第一のコネクタを前記第二のコネクタに対する仮嵌合位置にセットして前記カムピンが前記カム溝に係合可能な状態とした上で前記レバーを嵌合完了方向に回動させることにより前記第一のコネクタを前記第二のコネクタ側に引き込んで嵌合させるレバー式コネクタにおいて、前記レバーに、前記支軸に関して前記カム溝とは反対側の領域に位置して被押圧部を形成すると共に、前記第一のコネクタには、前記第一のコネクタを前記仮嵌合位置にセットするときに前記被押圧部を押圧して前記レバーを前記嵌合完了方向に回動させる押圧部を設けたところに特徴を有する。
【０００９】
このような構成によると、従来のカムピンがカム溝の入口奥の斜面を押圧する方法と比べて嵌合方向と直交する方向に延びた距離が大きくなるため、仮嵌合位置にセットするときの力をより効率的にレバー回転方向の力に変換することにより嵌合操作をより円滑に行うことができる。
本発明の実施の態様として、以下の構成が望ましい。
【００１０】
レバーには、第二のコネクタに設けた係合部と係合して回動を規制することでレバーをカムピンがカム溝に進入可能な待機位置に保持する弾性係合片が形成され、第一のコネクタには仮嵌合位置にセットされたときに弾性係合片を押圧して係合部との係合状態を解除する係合解除部が設けられていることが望ましい。
【００１１】
このような構成によると、両コネクタを嵌合させる際に予めレバーをカムピンがカム溝に進入可能な待機位置にセットしておくことが可能となり、嵌合操作をより円滑に行うことができる。
【００１２】
被押圧部はレバーの外周縁部から前記支軸から離れる方向に突出して設けられていることが望ましい。このような構成によると、被押圧部をレバーの支軸からレバー上の最も遠い位置となる外周縁部に形成することで仮嵌合位置にセットするときの力をより効率的にレバー回転方向の力に変換することにより嵌合操作をより円滑に行うことができる。
【発明の効果】
【００１３】
本発明によれば、両コネクタを仮嵌合位置にセットするときの力をより効率的にレバー回転方向の力に変換できるから、コネクタの嵌合操作を円滑に行うことができるという効果が得られる。
【図面の簡単な説明】
【００１４】
【図１】一実施形態における雄雌コネクタの嵌合前状態を示した側面図
【図２】雄雌コネクタの嵌合状態を示した側断面図
【図３】レバーの斜視図
【図４】押圧突部と回転補助受部が当接した状態の雄雌コネクタの側面図
【図５】雌側コネクタが仮嵌合位置に至った雌側コネクタを示した側断面図
【発明を実施するための形態】
【００１５】
以下、本発明をレバー式のコネクタに適用した一実施形態について図面を参照して説明する。
【００１６】
本実施形態のレバー式コネクタは、レバーの回動操作に基づいて互いに嵌合される全体としては略方形の雌側コネクタ２０と雄側コネクタ３０とから構成される。
【００１７】
尚、以下の説明において「前」及び「後」とは、それぞれ相手コネクタに対して嵌合させるための操作方向の先側及び後側をいう。
【００１８】
雌側コネクタ２０の周壁部の両側面には、図１で示すように、側面の略中央部に嵌合方向に延びた断面長円形を成す一対のカムピン２１が突設されている。カムピン２１に隣接した位置には雌側コネクタ２０の前面から少し後退した位置から後端面にかけて嵌合方向に直線的に延びる一対の係合解除部に相当するロック解除リブ２２が形成されている。
【００１９】
一方、雄側コネクタ３０は、図１に示すように、前方に突出した略方形の角筒状のフード部３１を有する。フード部３１には前方開口縁から支持軸付近まで切欠いたカムピン２１を受け入れる逃がし溝３３と逃がし溝３３に隣接した前方開口縁から前後方向略中央部まで切欠いたロック解除リブ２２を受け入れる係合部に相当する受溝３４とが形成されている。
【００２０】
雄側コネクタ３０を雌側コネクタ２０のフード部３１内に嵌合するとカムピン２１が逃がし溝３３に挿入されると共に、ロック解除リブ２２が受溝３４に挿入されつつ、雌側コネクタ２０が雄側コネクタ３０のフード部３１に案内される。
【００２１】
フード部３１の両側面には略中央部にレバー４０を支持する一対の支軸に相当する支持軸３２が突設されている。
【００２２】
レバー４０は、図３で示すように、全体としては門型を成しており、左右一対の向かい合った板状のアーム部４１と両アーム部４１を連結する操作部４２とから構成され、レバー４０は両アーム部４１の略中央部に形成された軸受孔４３とフード部３１の支持軸３２とを嵌合させることで雄側コネクタ３０に組み付けられている。
【００２３】
アーム部４１の内壁面にはフード部３１の逃がし溝３３と一致する位置にカムピン２１が進入する開口縁から真っ直ぐに軸受孔４３側に向かって延びる入口溝４７と、この入口溝４７の最深部を始点とし軸受孔４３の外周を巡りながら軸受孔４３との間の距離が近くなって行く弧状のカム溝４６とが形成されている。
【００２４】
レバー４０は図４に示すように入口溝４７がカムピン２１の進入を可能にする位置（以下、「待機位置」という）」と、図２に示すようにカムピン２１がカム溝４６の最終位置に達して両コネクタの嵌合が完了した位置（以下、「嵌合完了位置」という）との間で回動可能であり、レバーが嵌合完了位置まで回動されると、レバー４０の操作部４２は雌側コネクタ２０の後方面に突出して形成されているレバー係止部２４によって係止される。
【００２５】
なお、レバー４０が待機位置にあるとき、レバー４０の入口溝４７は、両コネクタ２０，３０の嵌合方向に沿って延びて軸受孔４３の中心を通る直線（以下、「軸中心嵌合線」という）にほとんど一致して平行に延びる形態となっている。また、カム溝４６はレバー４０のアーム部４１のうち上記軸中心嵌合線に対して一方側（図４において左半分）の領域に位置する。
【００２６】
レバー４０のアーム部４１には、レバー４０が前記待機位置にあるときに図１に示すように受溝３４と一致する位置で前後方向に延びる弾性係合片に相当する弾性レバーロック部４５が形成されている。この弾性レバーロック部４５はレバー４０が待機位置にあるときに受溝３４内に僅かに進入することでレバー４０をその位置に回動規制する。
【００２７】
雌側コネクタ２０を雄側コネクタ３０のフード部３１に嵌合して両者が仮嵌合位置に至ると、雌側コネクタ２０のロック解除リブ２２が弾性レバーロック部４５を受溝３４内から押出すことでレバー４０の回動規制が解除される。
【００２８】
さて、本実施形態では、レバー４０の両アーム部４１の外周縁のうち、レバー４０が待機位置にあるときに前記軸中心嵌合線に対してカム溝４６とは反対側に位置する側縁部は、軸中心嵌合線と平行になるように直線的に形成されており、そこに被押圧部に相当する回転補助受部４４が突設されている。この回転補助受部４４は、アーム部４１の外周縁部のうち前記カム溝４６とは軸中心嵌合線を挟んだ反対側（右半分）領域に軸中心嵌合線に対して直交する方向に突出しており、その前方（雌側コネクタ２０が進入してくる側）面と、裏側（フード部３１側の）面との間には、Ｒ状の受面４４Ａが形成されている。この回転補助受部４４の受面４４Ａと支持軸３２の中心である軸中心３２Ａとを結ぶ直線と前記軸中心嵌合線とがなす角度は例えばほぼ５５度に設定されている（図４参照）。
【００２９】
一方、雄側コネクタ３０のフード部３１には、図１に示すように、レバー４０が待機位置にあるときの回転補助受部４４と一致する位置に前端開口縁から前後方向略中央部まで切欠いた一対のスリット３５が形成されている。そして、雌側コネクタ２０の側壁部には上記スリット３５と一致する位置に押圧部に相当する押圧突部２３が突設されている。この押圧突部２３には、図１に示すように、その突出端面の周囲四辺にＲ面が形成されており、かつ、その突出寸法は、押圧突部２３のＲ面がレバー４０の回転補助受部４４に形成されたＲ状の受面４４Ａに当接可能なように設定されている。
【００３０】
本実施形態のレバー式コネクタを嵌合操作は次のように行われる。図１に示す状態から、まず雌側コネクタ２０の先端を雄側コネクタ３０内に進入させる。
【００３１】
すると、カムピン２１，ロック解除リブ２２及び押圧突部２３が、それぞれ対応する逃がし溝３３，受溝３４及びスリット３５内に進入し、カムピン２１がアーム部４１の入口溝４７の最深部に達する頃に、ロック解除リブ２２がアーム部４１の弾性レバーロック部４５に当接して弾性レバーロック部４５を受溝３４内から押し出す。これにより、レバー４０の回動規制が解除される。
【００３２】
このあたりで、押圧突部２３の前面側のＲ面が回転補助受部４４のＲ状の受面４４Ａに当接し（図４参照）、更にこの状態から雌側コネクタ２０を嵌合方向に嵌め込むと、図５に示すように、カムピン２１がカム溝４６の始端に達して仮嵌合状態となると共に、レバー４０が待機位置から嵌合完了位置側に小角度回動する。
【００３３】
これにより、作業者は、両コネクタ２０，３０が仮嵌合状態に達したことを明瞭に認識することができる。
【００３４】
そこで、レバー４０の操作部４２に手を掛けて、これを嵌合完了位置方向に回転させると、アーム部４１の回動に伴ってカムピン２１がカム溝４６によって引き込まれ、レバー４０が嵌合完了位置に達したところで両コネクタ２０，３０が正規嵌合される。
【００３５】
雌側コネクタ２０が仮嵌合状態から嵌合方向に引き込まれることにより、同時に押圧突部２３も嵌合方向に引き込まれると共に、アーム部４１のうち回転補助受部４４辺りの肩部が押圧突部２３と干渉傾向となる。けれども、押圧突部２３の突出端面の四辺にはＲ面が形成されているから、アーム部４１はフード部３１側から離れる方向に僅かに弾性変形しながら、押圧突部２３の上に乗り上げた状態となる。
【００３６】
このため、アーム部４１が嵌合完了位置側に更に回動操作されてゆく過程で、押圧突部２３はアーム部４１の裏面において相対的に滑るようになり、アーム部４１の回動操作に大きな抵抗を与える等の支障を来すことはない。
【００３７】
以上説明したように本実施形態によれば、雌側コネクタ２０を仮嵌合位置に嵌合させる過程で押圧突部２３が回転補助受部４４を押し回してレバー４０を小角度回動させる。
【００３８】
ところで、レバー４０を押し回すために要する力は、レバー４０の回転中心である軸中心３２Ａと、レバー４０に作用する力の作用点とを結ぶ距離が長いほど小さくなる。
【００３９】
この点、本実施例では、レバー４０を押し回す力の作用点はレバー４０の外周縁部に設けた回転補助受部４４に存在するから、その作用点をレバー４０の入口溝４７の奥端に求めていた従来構造に比べて、上記距離を大幅に長く設定することができ、その結果、レバー４０を押し回すために要する力、すなわち雌側コネクタ２０を仮嵌合位置にセットするための力を飛躍的に小さくすることができる。
【００４０】
＜他の実施形態＞
本発明は上記記述及び図面によって説明した実施形態に限定されるものではなく、例えば次のような実施形態も本発明の技術的範囲に含まれる。
【００４１】
（１）本実施形態では、雄側にレバーを有するコネクタの構成としたが、本発明は、逆に雌側にレバーを有するコネクタにも適用することも可能である。
【００４２】
（２）本実施形態では、レバー４０の各アーム部４１にそれぞれ回転補助受部４４を形成したが、一方のアーム部４１のみに回転補助受部４４を形成してもよい。この場合、もちろん、雌側コネクタ２０の押圧突部２３やスリット３５は一方側にのみ形成すればよい。
【００４３】
（３）本実施形態では、回転補助受部４４（被押圧部）をレバー４０の外周縁部に突設したが、これに限らず、例えば外周縁部よりも軸受孔４３に近い位置に形成してもよい。また、回転補助受部４４の突設位置は、回転補助受部４４の受面４４Ａと支持軸３２の中心である軸中心３２Ａとを結ぶ直線と軸中心嵌合線との間が約５５度の角度をなす位置としたが、これに限られないことはもちろんである。
【００４４】
要は、レバーの押し回しに要する力は、被押圧部（作用点）と軸中心３２Ａとの間の距離や、作用点と軸中心３２Ａとを結ぶ直線が軸中心嵌合線との間になす角度に依存するから、それらを総合的に勘案して被押圧部（作用点）の位置を設定すればよい。
【００４５】
（４）本実施形態では、レバー４０を一対のアーム部４１にそれぞれカム溝４６を有する門型形状のものを使用したが、これに限らず、１枚の一つのカム溝飲みを有するレバーを使用してもよい。
【符号の説明】
【００４６】
２０...雌側コネクタ
２１...カムピン
２２...ロック解除リブ
２３...押圧突部
３０...雄側コネクタ
３１...フード部
３２...支持軸
３４...受溝
３５...スリット
４０...レバー
４１...アーム部
４２...操作部
４３...軸受孔
４４...回転補助受部
４５...弾性レバーロック部
４６...カム溝
【図１】
2011023127.tif 000003
【図２】
2011023127.tif 000004
【図３】
2011023127.tif 000005
【図４】
2011023127.tif 000006
【図５】
2011023127.tif 000007